(57)【特許請求の範囲】
【請求項１】
パンチロールとダイロールが互いに反対方向に回転し、
両者間を通過する箔と、
前記箔と重なり合った状態で同時に移動する中間材とを
同時に一工程にて打抜きするロータリーカッターであって、
前記パンチロールは箔を打抜く形状と略同形状の凸面を有するパンチを、
前記ダイロールはパンチの凸面形状と略同形状の凹部であるダイを有し、
前記パンチとダイにて箔を打抜く動作を通じてパンチとダイの作動最外周がお互いに干渉しない構造を持ち、
前記ダイの凹部に、前記パンチの凸面と共に打抜き中の前記箔および中間材を挟んで固定する弾性体を設けた
ロータリーカッター。
【請求項２】
前記弾性体がダイの作動最外周に対して−２ｍｍ以上、３ｍｍ以下外周方向に突き出した、請求項１に記載のロータリーカッター。
【請求項３】
前記弾性体がロジン、天然ゴム、合成ゴム、天然スポンジ、合成スポンジ、ゴムスポンジ、発泡プラスチックのいずれか１種以上からなる、請求項１または請求項２のいずれかに記載のロータリーカッター。
【請求項４】
前記中間材が前記箔を打抜く際に切断されない、もしくは部分的にしか切断されず、
打抜き後の箔の搬送用として使用される請求項１から請求項３のいずれかに記載のロータリーカッター。
【請求項５】
前記中間材が、前記箔を打抜く際に箔と略同形状に打抜かれ、
打抜き後の箔を重ねる際のスペーサーとして使用される請求項１から請求項３のいずれかに記載のロータリーカッター。
【請求項６】
パンチおよびダイの少なくとも箔または中間材に接触する部分の材質が、弾性係数１５０ＧＰａ以上である請求項１から請求項５のいずれかに記載のロータリーカッター。
【請求項７】
パンチおよびダイの材質で、少なくとも箔または中間材に接触する部分の材質が超硬合金である請求項６に記載のロータリーカッター。
【請求項８】
打ち抜きされる箔が金属箔、金属箔上に活物質を塗布した箔の少なくともいずれかである請求項１から７のいずれかに記載のロータリーカッター。
【発明の詳細な説明】
【技術分野】
【０００１】
本発明は箔を剪断加工にて打抜くロータリーカッターに関する。
【背景技術】
【０００２】
ロータリーカッターは、代表的には刃先を有するダイカッターと刃を受けるアンビルロールとの両ロール間に薄板状の被切断物（以後「ワーク」と称する）を送り、両ロールを互いに反対方向に回転に回転することでワークを押し切りを主として打抜く技術として広く知られている。
【０００３】
代表的なロータリーカッターを特許文献１に示す。このロータリーカッターは主に布や紙などのワークを押し切りし、打抜く。ロータリーカッターはその耐久性と、打抜きの効率に秀でており、非常に生産性が高い手段である。
【０００４】
この方法は、布や紙などの押し切りが有効なワークには使用が容易である。しかし、押し切りによる切断加工は例えば延性金属の薄板を打抜こうとすると、切断以前に弾性変形についで塑性変形を生じ、バリやカエリなどが多発するために、切断面品質を要求される用途には使用できないという欠点がある。
【０００５】
そのために、現在に至るまで様々な提案がなされている。
【０００６】
特許文献２（実用新案文献）に示す文献は、鋭い刃先にてワークである紙に切り目を入れるロータリーカッターが示されている。カッター側のロールと受け側のロールの凹部には弾性体が充填されており、ワークの送りの性能を高めている。同様の切断方法では、鋭い刃による押し切りにて切断を主として行なうために、押された部分は切断以前に変形を起し、延性金属のような塑性変形を起こしやすいワークでは変形やバリが生じる。
【０００７】
特許文献３には、金属箔の切断について改良された技術が述べられている。これは、従来のような硬質の材料でパンチを構成するのではなく、パンチが合成樹脂にて構成されており、ダイには所望の形状に穴があけられ、パンチとダイの接近により合成樹脂の変形部にてワークを打抜く方法が述べられている。この方法は例えば一片が１０ｍｍ程度と小さな必要部を打抜くためにはある程度有効であるが、バリやカエリの発生に対しては十分な効果を発揮できない。また、前記必要部が不要部となる場合、すなわち必要部ではなく不要部とする製品を打抜くには、必要とする部分の全面に弾性体を介して大きな圧力が加わる。そのため、金属箔や圧力をかけると変形や破壊するような材質のワークには使用できない。
【０００８】
特許文献４には、特許文献１〜３においても解決できていない、塑性変形などが起る箔状のワークを打抜く手段が述べられている。この方法は、ダイとパンチを嵌合する状態まで接近させずに切断を行なうという方法である。この方法を用いれば、延性金属などの塑性変形を起こしやすい材質からなる箔を打抜くことも可能である。しかしながら、この方法では、ワークが例えば銅箔のように比較的変形抵抗の大きい材料の場合は、図１６に示すようにダイとパンチのエッジを支点としてダイの凹部内で銅箔がたわみ、逆にエッジ部分の前方と後方ではパンチ側にソリが生じる。また、特にロータリーカッターの場合は、切断時のワークの保持を十分に行なうことが難しいため、切断部にせん断力だけでなく引張り力も生じてしまうため、バリやカエリの発生に対して、十分な効果を発揮できないという課題があった。
【特許文献１】特許第２５９３５７０号公報
【特許文献２】実用登録６３９０号公報
【特許文献３】特開昭６２−２１４８３５号公報
【特許文献４】国際公開番号ＷＯ２０１０／０１３８１８  Ａ１  公報
【発明の開示】
【発明が解決しようとする課題】
【０００９】
本発明では、従来型のロータリーカッターで成しえなかった、金属や塑性変形を引き起こす材料の箔を、バリやカエリの発生を抑制しつつ良好に切断することが課題である。
【課題を解決するための手段】
【００１０】
箔を良好に切断するために、パンチロール側に凸状のパンチ、ダイロール側に凹状のダイをもつロータリーカッターを用い、箔と共に中間材を打抜く切断方法を採用した。さらに、この装置のダイの凹部に箔の打抜きを補助する目的の弾性体を設置することで、前記課題を解決した。
【発明の効果】
【００１１】
ロータリーカッターを用いて、塑性変形を容易に起こす材料からなる箔を切断時の変形やバリを極力小さくして打抜くことができる。塑性変形を容易に起こす材料としては延性金属が挙げられるが、同様な塑性変形の現象を生じる金属含有物や有機物であっても本発明のロータリーカッターは良好に打抜くことができる。
【００１２】
また、ロータリー方式であるために、その生産性は一般的なパンチとダイが上下動して打抜く金型方式に対して著しく高い。
【発明を実施するための最良の形態】
【００１３】
打抜き用のロータリーカッターには様々な種類があるが、代表的なものは図１０に示すようにダイカッター側に略製品形状の凸部の刃先３があり、平滑なアンビルロール２との押し切りにより薄板状のワークＷを打抜く方法である。この方法は押し切りであり、ワークを押しつぶして変形および切断するために、延性金属などの塑性変形を起こす箔状のワークに対しては、打抜き時に塑性変形による変形やバリ、カエリなどが大きく発生するため、使用できない。
【００１４】
また打抜きではなく鋭い刃先をもつスリッターを使用したロータリーカッターもある。代表的な構造を図１１に示す。この方法では、アンビルロールの表面に樹脂や弾性体の層１７を設けて、そこにワークを介してスリッター１６を押し付けることによって打抜きを行う。アンビルロールの比較的柔軟な層がなければ、刃先の欠損や摩耗が激しくなり連続的に使用できない。箔状の金属なども切断はできるが、やはり押し付けの圧縮力を主体として打抜くため、切断部近傍にバリやカエリが発生し、かつその周囲も樹脂や弾性体の変形にならって大きく変形するという問題が生じる。これらの技術はいずれも箔の押し切りによる加工である。押し切りによる加工を金属のような塑性変形する材料に用いると、押した部分が変形して潰れるために製品にどうしてもバリが残ってしまう。さらに、鋭い刃をもつロータリーカッターは、ロールの回転方向のみの切断であれば一度切断箇所が生じれば、その切断箇所の先端に応力が集中しやすく、バリの発生を制御しながらの切断も可能である。しかし、ロールの軸方向の切断は図１０に示すような押し切りのロータリーカッターと機構は全く同じであり、同様の問題が発生する。本課題では打抜くワークの形状は、直線状だけでなく様々な形状に対応できるものを想定しているために、この形式のロータリーカッターは使用に適していない。
【００１５】
本発明では極力押し切りにならないよう、剪断切りで箔を打抜くことによりバリやカエリの問題を解決した。
【００１６】
本発明を以下に説明する。
【００１７】
本発明は互いに反対方向に回転し、両者間を通過する箔を一工程にて打抜きする、パンチロールとダイロールの組み合わせとからなるロータリーカッターにおいて、前記パンチロールには略製品形状の凸部のパンチ、前記ダイロールにはパンチ形状に対応する略同形状の凹部であるダイを有し、前記パ ンチとダイにて箔を打抜く動作を通じてパンチとダイの作動最外周が互いに干渉せずに打抜き加工を行ない、前記箔と重なり合った状態で同時に移動する中間材 を箔と同時に加工し、前記ダイの凹部に打抜きを補助する目的の弾性体が設置されたロータリーカッターである。
【００１８】
図１に示すように、パンチロール側１には打抜きされる形状と同様の輪郭を少なくとも持つ凸状のパンチ部３を有する。また、ダイロール２には前記ダイに対応し、略同形状を持つ凹部４が形成されている。これらを用い凸状のパンチ部のエッジにあたる部分と、ダイ凹部のエッジによってそこに挟まれたワークを所望の形状に剪断力を与え、打抜くことによって行なわれる。
一工程にて、というのは、パンチとダイが１回接近することにより、打抜き加工が終了するという意味で用いる。例えば、パンチとダイにより一回目の接近で仮抜きをして、同じまたは異なるパンチとダイにて二回目の接近で完全に打抜くような技術とは異なる。
【００１９】
このパンチとダイは、図２に示すようにその回転の作動最外周７、８が互いに干渉しない。図１に示すようにダイの凹部に設置する弾性体５、ワークや後述する中間材６を介して両者は初めて間接的に接触する。
【００２０】
パンチロールとダイロールの回転によりワークＷはそれに追従して同時に移動する。
また、ワークは少なくともロータリーカッターに供給される前から、薄板状の中間材６をその表裏いずれかに接触し、一体となった状態で送られる。中間材の位置はワークから見てパンチロール側でもダイロール側でもよいし、用途によってはその両面に用いてもよい。
【００２１】
中間材はワークとともにパンチロールとダイロールに挟まれ、加工される。このとき、中間材はその厚さや材質の選択によってワークと同時に打抜くこともできるし、中間材は打抜かずに残すこともできる。請求項１における中間材への「加工」とは、このように打抜きすることも、打抜く以前の段階に留めることも含まれる。
【００２２】
中間材は、ダイとパンチによる剪断力がワークに対して十分働くかどうかで選ぶ必要がある。このことを踏まえ、中間材として適当な材質はポリプロピレン、アクリル樹脂、ポリエチレンテレフタレート、ポリカーボネート、ベークライト、プラスチック、フッ素樹脂、エポキシ樹脂、ポリウレタン、ポリ塩化ビニル、ポリアミド、ポリエチレン、塩化ビニル、硬質ゴム、紙、ガラス板、アスファルト、合成繊維などが適している。これらの中から、ワークの性質に合い、費用がかからないものを選べばよい。
【００２３】
供給されたワークは、パンチロールとダイロールの幅が一定以上に狭まる部分まで送られたときに、パンチ３の片側のエッジ部とダイ４のエッジ部間に剪断力が生じ、剪断切りされる。
【００２４】
そして、本発明のロータリーカッターは、以上に説明したロータリーカッターにおいて、前記ダイの凹部に打抜きを補助する目的の弾性体５を設置することを特徴とする。
【００２５】
箔を剪断切りする際は、例えば特許文献４に示されているように、パンチの凸部とダイの凹部、互いのエッジを結ぶ線上にて剪断力が強く働き、破断応力を超えた箇所から随時破断が進む。ところが、本発明はその切断の対象として箔をあげているが、箔は例えば一片が数ｍｍのものから大きいものでは数１００ｍｍに及ぶ。そのために、前記の破断はパンチロールとダイロールの回転に応じて、対応するワークの箇所が順次切断されるという状態になる。
【００２６】
このことを図１２〜図１５の模式図を用いて説明する。図中の凸パンチ３がワークＷからひとつの製品部分を打抜くものとする。ダイとパンチの接近により、図１２に示すようにまず製品部分の進行方向前側（先頭部）が先切断される（１１）。切断の直前においてワークは、その進行方向前方にも後方にも繋がっているために、ワークの進行する前後方向に張力が働いている。またダイとパンチの接近により中間材は圧縮され、その反力としてワークをパンチとダイに押し付けるために、切断時にはパンチおよびダイのエッジ部とワークの切断箇所との相対的な位置が変わらず、これにより良好に剪断が行なわれる。一方、そのままパンチロール１とダイロール２が回転し、ワークＷが進行すると、図１３に示すように、先に剪断された先頭部２４には進行方向に対する張力が働かなくなる。従って、製品の進行方向後ろ側の最後尾の切断時には、切断にかかるパンチおよびダイのエッジ部間で生じる応力がワークに対してせん断応力として働きにくくなるため、図１４に示すように完全に切断することができない状態（１８）や、あるいは、図１５に示すように、切断できたとしても、バリやカエリ（１９）が非常に大きいまま残ることになり、切断面品質に高品位を要求される製品用の切断には使用できない。
【００２７】
そこで本発明では、ダイの凹部に打抜きを補助する目的の弾性体５を設置した。図３に示すように、ワークＷは製品部分で先に切断される部分（先頭部）が切断された後も、切断された先頭部を含むワークが弾性体５と中間材６に挟まれた状態で固定される。そのため、製品の最後尾までパンチとダイが回転した際にも図４に示すように、最後尾の切断部分の前方部分が中間材と弾性体により固定された状態を維持できる。したがって、最後部の切断時にもワークには進行方向前後方向に張力が働いた状態を保てるため、先端部と同様に良好に打抜きすることができる。
【００２８】
また、略製品形状の凸部のパンチサイズは、略同形状のダイ凹部のサイズ以上となる方が、切断時に製品を固定しやすいため好ましいが、本発明ではダイ凹部の弾性体の存在により、特にそのサイズを制限するものではない。
また、本発明のロータリーカッターはパンチとダイは接触せず、また、パンチの先端エッジ部またはダイの凹部のエッジ部が直接ワークと接触しないために、パンチやダイの寿命を長く保つことができる。さらに、ワークが金属質の場合には、ダイやパンチと接触することによるダイやパンチへの金属の凝着を防ぐことができる。
【００２９】
なお、ロールの回転方向の切断に関しては、従来の技術でもある程度バリやカエリを小さくすることができ、主な問題点は軸方向の切断について生じている。そのために本説明では、ロールの軸方向の切断に対する問題点および解決法を主として示している。
【００３０】
請求項２に記載の本発明は、前記弾性体がダイの作動最外周に対して−２ｍｍ以上、３ｍｍ以下外周方向に突き出していることを特徴とする請求項１に記載のロータリーカッターである。なお、本発明においては「ダイの作動最外周」という表現には、ダイの凹部に設置された弾性体が描く作動最外周は含まないものとする。
【００３１】
図５にて、弾性体５はダイの凹部に設置されていて、前記の様に特に先頭部以外の製品部分の箔を切断、打抜きするのに有効である。そして、ダイの作動最外周に対して−２ｍｍ以上、３ｍｍ以下外周方向に突き出していることが好ましい。−２ｍｍ突き出した状態とは、ダイの作動最外周に対して２ｍｍ陥没した状態であり、０ｍｍであればダイの円弧と同様となる（１４、１５）。
【００３２】
この突き出し量は、大きすぎればワークや中間材の回転を妨げることになり、その上限は３ｍｍである。３ｍｍ以下であれば多くのワークや中間材を使用する際に、回転中にワークや中間材の進行の妨げとならずにワークを固定する応力を加えることができる。また、突き出し量が小さすぎると、ワークを切断時に固定する応力が十分発揮できなくなる。突き出し量の下限は−２ｍｍがより好ましい。これよりも低い値であれば、ワークの固定のための応力は十分確保されない場合があり、バリやカエリが大きくなり、製品の切断面の品質が劣化する可能性がある。
【００３３】
また、弾性体の形状は、図５（Ａ）〜（Ｃ）に示すように突き出した部分の形状が円弧状でも良いが、一例を図６（Ｄ）〜（Ｇ）に示すように、平坦な形状や内部にザグリが入ったもの、そのザグリの中に固定ブロック１３を挿入したような形状でもよく、少なくとも切断時にワークを常に固定できればよい。
【００３４】
また、弾性体には別の役割もある。図１５に示すように、打抜き後のワークがダイの凹部に残ると、そこから取出すために別の装置を設けたり、凹部に取出し用の機構を設けたりする必要がある。また、高速で回転するロータリーカッターであるために、取出しが切断後速やかに行なわれないと、切断した箔が飛散する恐れもあり、それを集めるのにも費用がかかる。
【００３５】
本発明では、切断後にダイの凹部に打抜かれた箔が残らず凹部の外に排出される。そのために打抜いた箔の回収は容易である。
【００３６】
請求項３に記載の本発明は、前記弾性体がロジン、天然ゴム、合成ゴム、天然スポンジ、合成スポンジ、ゴムスポンジ、発泡プラスチックのいずれか１種以上からなることを特徴とする、請求項１または請求項２のいずれかに記載のロータリーカッターである。
【００３７】
弾性体の材質は特に限定されるものではないが、ワークに対して摩擦が極端に低いものは好ましくない。摩擦が低すぎると先端部が切断されたワークを十分に固定する役割が果たせないことが考えられる。ワークである箔は、金属箔や塑性変形を示しやすい材料を主に対象としているが、これらに対して十分な摩擦を持つものが望ましい。より適している材料はロジン、天然ゴム、合成ゴム、天然スポンジ、合成スポンジ、ゴムスポンジ、発泡プラスチックなどであった。
【００３８】
請求項４に記載の本発明は、前記中間材が前記箔を打抜く際に切断されず、打抜き後の箔の搬送用に使用される請求項１から請求項３のいずれかに記載のロータリーカッターである。
【００３９】
前述のように、本発明において中間材はワークと共に切断されてもされなくてもよい。切断しない場合は、ワークは打抜かれた状態で中間材にそのまま乗った状態で打抜き工程を終える。なお、ワークが中間材より下に面する場合は、パンチロールとダイロールの位置を逆転するか、打抜き時にワークの下面に中間材を流すようにすればよい。
【００４０】
図８に示すように打抜きされていない中間材６は薄板状であるために、そのまま打抜き後のワーク２０を載せ、搬送することができる。
【００４１】
この機構がなければ打抜かれた製品形状の箔は、ロータリーカッターの周囲に散乱するために、飛散の際に損傷することもあり、収集の機構を別に設ける必要が生じるために製造費用的に不利になる。
【００４２】
請求項５に記載の本発明は、前記中間材が、前記箔を打抜く際に箔と略同形状に打抜かれ、打抜き後の箔を重ねる際のスペーサーとして使用される請求項１から請求項３のいずれかに記載のロータリーカッターである。
【００４３】
前述のように本発明において中間材は、ワークと共に切断されてもされなくてもよい。共に切断する場合は、中間材と製品形状の箔が１組切断されることになる。
【００４４】
一方、特に切断後の箔は、直接同士を直接重ねることを嫌う。箔は重ねることで互いのバリなどで傷が付いたり、腐食の原因になったりしやすい。そのために搬送時や装置への供給段階では箔と箔の間にスペーサーを挟むのが一般的である。
【００４５】
本発明では、図９に示すように中間材６の材質をこのスペーサー２２として使用できる材質にすることで、打抜き後に切断後の箔同士の間にスペーサーを挟む工程を省くことができる。
【００４６】
請求項６に記載の本発明は、パンチおよびダイの箔または中間材に接触する部分の少なくとも一部の材質が、弾性係数１５０ＧＰａ以上であることを特徴とする請求項１から請求項５のいずれかに記載のロータリーカッターである。
【００４７】
本出願のロータリーカッターは、いずれもワークを剪断切りして打抜くものであるが、切断したい箇所に剪断応力を集中させるためには、パンチおよびダイが変形しにくいほうがより好ましい。ダイとパンチの両者が接近したときの中間材、ワーク、弾性体からの圧力による変形が大きい材料は好ましくない。そのために、パンチとダイの材質は弾性率が１５０ＧＰａ以上、好ましくは２００ＧＰａ以上がよりよい。これに該当するのは、繊維強化プラスチック、錬鉄、鋼、工具鋼、超硬合金、セラミックスなどである。
【００４８】
請求項７に記載の本発明はパンチおよびダイの少なくとも箔または中間材に接触する部分の材質が、特に超硬合金であることを特徴とする請求項６に記載のロータリーカッターである。超硬合金は工具鋼などの材質に比べ、硬さが高く耐摩耗性に優れている。また、その弾性率は超硬合金の種類にもよるが４５０〜７００ＧＰａのものが多い。そのために、前項で述べたダイとパンチの変形のしにくさでは非常に優れている。また、硬さはロックウェル硬さＡスケールで８０〜９５ＨＲＡと高い。硬さは耐摩耗性に強く影響するために、ワークや中間材と接触を繰り返すダイとパンチの材料としては優れている。
【００４９】
また、本発明のロータリーカッターは図１７に示すように、製品が打抜かれる部分の場合も、残った部分が製品形状になる場合にも適用することもできるし、図１に示すように中抜き部分があるような形状にも対応が可能である。
【実施例】
【００５０】
以下に具体的な実施の例を示す。
（実施例１）
ワークを厚さが２０μｍの銅箔とした。
【００５１】
ロータリーカッターには図１に示すような、製品形状に直線部も曲線部も有する閉じた鍵穴状のパターンを形成し、１分間の切断試料枚数を２００枚（２００ｒｐｍ）としてそれぞれ切断を行なった。試験は５０分間行い、１万枚切断した時点での評価とした。
【００５２】
中間材としては、厚さが５００μｍのポリエチレンテレフタレートフィルムを用いた。
【００５３】
ダイおよびパンチは超硬合金（弾性率４５０ＧＰａ）で製造し、弾性体は幅が約１０ｍｍで深さ１５ｍｍのダイの凹部に接着剤を用いて固定した。弾性体はその種類と突き出し量を数種類変えて実験を行なった。
【００５４】
評価項目としては、各試料を切断し、切断できるかどうかの評価および切断できた場合のロール回転方向の寸法精度および最大バリ高さ（以後「バリ高さ」と表記）を比較した。  
切断できるかどうかは、パターン形状が全て切断されているかの評価を行なった。
【００５５】
回転方向の寸法精度は、図１のＣ−Ｃ’で示すダイロール部分に対応する切断品の長さを測定した。Ｃ−Ｃ’の長さの基準は、作製したダイロールのＣ−Ｃ’  部の長さとし、その長さは１００ｍｍである。
【００５６】
最大バリ高さ１９は図７に示すように、切断品から最も突き出た部分の高さＤ１を測定し、切断品の切断前の厚さＤ２を減じた値Ｄ３とした。
【００５７】
以上の条件にて弾性体の材質や突き出し量をそれぞれ変え前記条件にて運転し、それぞれ評価を行なった。
【００５８】
表１にワークの材質を、表２にそれぞれの弾性体を用いたロータリーカッターの評価を示す。
【００５９】
【表１】
0005416670.tif 000002
【００６０】
表中で「*」のついた番号の試料は、本発明の範囲外の比較試料である
【００６１】
【表２】
0005416670.tif 000003
【００６２】
表中で「*」のついた番号の試料は、本発明の範囲外の比較試料である
表1および表２より以下のことが分かった。
【００６３】
まず、弾性体を用いていない比較試料*２０は、このワークに対しては外径に切残しが発生して全周を切断することができなかった。これに対して本発明のロータリーカッターは、試験終了後も良好に打抜きが行えた。また、その加工精度はいずれもダイの該当部寸法（１００ｍｍ）と比較して０〜０．１ｍｍ以下であった。ワークが塑性変形を起こすために、いずれの試料についてもロールの回転方向に伸びが見られたが、その値はきわめて小さかった。また、バリ高さについては１５μｍ以下とこれも良好であった。バリ高さについては、特に弾性体の突き出し量が−２ｍｍ以上＋３ｍｍ以下が１０μｍ以下と特に優れた結果であった。
【００６４】
（実施例２）
実施例１ではワークとして厚さが２０μｍの銅箔を打抜いたが、本実施例ではワークの材質および厚さを変え、弾性体は実施例１で優れた特性を見せた突き出し量が−１００μｍの中間材Ｎｏ．４を用いて試験を行った。他の条件は実施例１と同等である。
【００６５】
銅箔とアルミ箔はその変形のしやすさに違いがあり、アルミ箔は柔らかく比較的変形しやすいがバリが高くなる傾向がある。一方、銅箔はバリの高さはアルミ箔よりも低くなるが、切断には剪断力がより必要とされる。
また、電池用の活物質は剪断により切断しやすいが、切断部位外に高い圧力がかかると、割れや金属からの剥離の原因となり、好ましくない。
【００６６】
ワークの材質および厚さを表３に、切断結果を表４に示す。
【００６７】
【表３】
0005416670.tif 000004
【００６８】
【表４】
0005416670.tif 000005
【００６９】
表３および表４の結果より、本発明のロータリーカッターは銅箔およびアルミ箔のいずれの材質も良好に打抜きできることが確認できた。
【００７０】
また、金属箔に電池用の活物質を塗布したワークに対しても、活物質に割れや剥離は見られずに、目立つ組織の破壊もなかった。このことより、本発明のロータリーカッターはワークの切断部位外には大きな圧力がかかっておらず、剪断力にて良好に切断していることが確認できた。
【００７１】
さらに、材質をこのほかに鋼板、マグネシウム板、塑性変形する有機物箔などに変更しても同等精度およびバリ高さの品質での打抜き性能を確認できた。
【００７２】
（実施例３）
次に実施例２とその外は同様の条件で、パンチとダイを超硬合金から別の材質に変更した試験を行った。ワークは厚さ２０μｍの銅箔とした。
【００７３】
変更したパンチとダイの材質を表５に、前記ワークの打抜き結果を表６に示す。
【００７４】
【表５】
0005416670.tif 000006
【００７５】
【表６】
0005416670.tif 000007
【００７６】
表５および６の結果より、ダイとパンチの弾性率は高いほうがバリ高さが低くなる傾向があり、弾性率が１５０ＧＰａ以上ではいずれもより良好に切断できることが分かった。
【００７７】
また、パンチとダイの材質を異なる組み合わせにしても実施の上で問題がないが、精度やバリ高さは両者で弾性率の低い方の材料をパンチとダイに用いた結果とおよそ一致した。
【００７８】
（実施例４）
実施例３と同条件にて、ダイとパンチの材質を超硬合金とした。
【００７９】
ワークの下方に中間材が位置するように装置を設置し、中間材はワークと共に加工されても切断されない条件とし、図８に示すように打抜きが終了したワーク２０をそのまま保持して搬送する構造とした。また、切断終了後にはワークの不要部分２１をライン外に排出するようにした。
【００８０】
その結果、搬送用の中間材の上で切断された製品部のみが乗ったまま送られるために、製品部を回収することや、次の工程にそのまま搬送することがきわめて容易になった。
（実施例５）
実施例と同条件にて、ダイとパンチの材質を超硬合金とした。
【００８１】
ワークの下方に中間材が位置するように装置を設置し、中間材はワークと共に切断される条件とし、図９に示すように打抜きが終了した中間材２２とワークの製品部２０をあわせて回収した。回収した一対の中間材と製品部はそのまま重ねて積み上げられ、中間材はスペーサーの役目をして、効率よく次工程の準備をすることができた。
【図面の簡単な説明】
【００８２】
【図１】本発明の形態を示す模式図
【図２】作動最外周に対する説明図
【図３】本発明による打抜きの模式図（先頭部〜）
【図４】本発明による打抜きの模式図（〜最後尾）
【図５】ダイ用弾性体の突出し量の模式図
【図６】ダイ用弾性体の一例
【図７】バリ高さの説明図
【図８】中間材を打抜き後の箔の搬送用として使用した模式図
【図９】中間材を打抜き後の箔を重ねる際のスペーサーとして使用した模式図
【図１０】従来のロータリーカッターの模式図
【図１１】従来のロータリーカッターの模式図
【図１２】打抜き不良の模式図（打抜き初期）
【図１３】打抜き不良の模式図（打抜き中期）
【図１４】打抜き不良の模式図（切断不良）
【図１５】打抜き不良の模式図（バリ、カエリの発生）
【図１６】ワークのソリの発生の模式図
【図１７】本発明の実施の形態の一例
【符号の説明】
【００８３】
１  パンチロール
２  ダイロール
３  パンチ（凸部）
４  ダイ（凹部）
５  弾性体
６  中間材
７  パンチの作動最外周
８  ダイの作動最外周
９  打抜き中のワークの先頭部
１０  ロールの回転方向
１１  剪断クラック
１３  固定ブロック
１４  ダイ用弾性体の突出し量（マイナス）
１５  ダイ用弾性体の突出し量（プラス）
１６  スリッター刃部
１７  樹脂、弾性体の層
１８  切断不良部
１９  バリ、カエリ
２０  打抜かれた製品部
２１  ワークの不要部
２２  打抜かれた中間材
２３  製品部の回収、蓄積、搬送装置
２４  打抜き中のワークの先頭部
Ｗ  ワークと進行方向
Ａ−Ａ’  パンチロールの周方向の断面模式図
Ｂ−Ｂ’  ダイロールの周方向の断面模式図
Ｃ−Ｃ’  評価時の寸法測定部に対応するパンチの部分
【図１】
0005416670.tif 000008
【図２】
0005416670.tif 000009
【図３】
0005416670.tif 000010
【図４】
0005416670.tif 000011
【図５】
0005416670.tif 000012
【図６】
0005416670.tif 000013
【図７】
0005416670.tif 000014
【図８】
0005416670.tif 000015
【図９】
0005416670.tif 000016
【図１０】
0005416670.tif 000017
【図１１】
0005416670.tif 000018
【図１２】
0005416670.tif 000019
【図１３】
0005416670.tif 000020
【図１４】
0005416670.tif 000021
【図１５】
0005416670.tif 000022
【図１６】
0005416670.tif 000023
【図１７】
0005416670.tif 000024